(57)【特許請求の範囲】
【請求項１】
ガスメータの流量やガス圧などを監視し、その異常を検知した際には遮断弁を遮断させるための信号を発信することを基本機能とするマイコンメータコントローラを、保持部材本体部の両側面に設けられた複数のフック部で保持するガスメータのマイコンメータコントローラ保持部材において、前記フック部のうち、少なくとも一方の側面のフック部がＪ字形に形成され、Ｊの書き出し部でマイコンメータコントローラを保持し、Ｊの書き終わり部で保持部材本体部と結合されるとともに、前記、Ｊ字形のフック部のマイコンメータコントローラを保持している部分の背面に、Ｊ字形のフック部の変形を抑制するためのストッパが挿入されていることを特徴とするガスメータのマイコンメータコントローラ保持部材。
【発明の詳細な説明】
【０００１】
【発明の属する技術分野】
この発明は、ガスメータに内蔵され、流量や圧力などを監視し、その異常を検知した際には遮断弁を遮断させるための信号を発信することを基本機能とする制御回路であるマイコンメータコントローラを保持するためのマイコンメータコントローラ保持部材に関する。
【０００２】
【従来の技術】
マイコンメータコントローラとは、ガスメータにおける流量や圧力などを監視し、その異常を検知した際には遮断弁を遮断させるための信号を発信することを基本機能とする制御回路のことで、その構成はプリント基板にマイコン、電池及びその他の電子部品を搭載したものである。
【０００３】
図２はガスメータ１へのマイコンメータコントローラ２（以下ではコントローラ２と略称する）の取り付け位置を示す図で、ガスメータ１の上部カバーの一部を除去して示した部分分解斜視図であり、図３は従来技術によるガスメータのマイコンメータコントローラ保持部材３（以下では保持部材３と略称する）の構造と、保持部材３によるコントローラ２の保持状況とを示す図で、（ａ）は前面斜視図、（ｂ）は後面斜視図、（ｃ）は断面図である。
【０００４】
図２に示すように、コントローラ２は樹脂製の保持部材３上に保持されている。その保持状態は図３に示す通りであって、保持部材３の保持部材本体部33の両側面に備えられている複数のフック部31a, 31b, 31c 及び31d にコントローラ２がはめ込まれて保持されている。保持部材３は挿通孔32a 及び32b に通したねじによってガスメータ１に固定されている。
【０００５】なお、保持部材３はコントローラ２のプリント板の下面に搭載されている半導体チップなどの回路部品を保護する機能も兼ねている。
【０００６】
【発明が解決しようとする課題】
上述の保持部材３のフック部31a, 31b, 31c 及び31d は、短い直線形状をしており、振動あるいは衝撃を受けると、最も大きな応力を発生するフック部のつけ根近傍が折損してしまうという不具合を生じた。この折損を避けるためにフック部31a,31b, 31c 及び31d を肉厚にするなどして剛性を高めると、フック部31a,31b, 31c 及び31d へのコントローラ２のはめ込みが困難となり、そのための治具を必要とするなど、製造工程において所要時間が増加し、製造コストが増大するという問題を生じた。
【０００７】
この発明は、上記の不具合や問題点を解消し、振動や衝撃に強く、コストが増大しない保持部材を提供することを課題とする。
【０００８】
【課題を解決するための手段】
この発明においては、保持部材のフック部のうち、少なくとも一方の側面のフック部がＪ字形に形成され、Ｊの書き出し部でコントローラを保持し、Ｊの書き終わり部で保持部材本体部と結合されている。フック部をＪ字形とすることによって、フック部の変形可動範囲が広くなり、同時にフック部の受ける応力が低減するとともに、
【０００９】
前記、Ｊ字形のフック部のコントローラを保持している部分の背面に、Ｊ字形のフック部の変形を抑制するためのストッパを挿入している。ストッパを挿入することにより、Ｊ字形のフック部は機械的に補強され、同時に、よりしっかりとコントローラを保持する。
【００１０】
【発明の実施の形態】
この発明の実施の形態を、実施例を用いて説明する。
この発明によるガスメータのマイコンメータコントローラ保持部材の構造及びコントローラの保持状態を図１に示す。（ａ）は前面斜視図、（ｂ）は後面斜視図、（ｃ）は断面図である。なお、当該（ｂ）及び（ｃ）の図では、ストッパは割愛し図示されていない。
【００１１】
コントローラ２は、図２と同様に、樹脂製の保持部材４上に保持されている。その保持状態は図１に示す通りであって、保持部材４の保持部材本体部43の両側面に備えられている複数のフック部41a, 41b, 41c及び41d にコントローラ２がはめ込まれて保持されている。フック部41a 及び41b は従来技術と同様の短い直線状のフックであるが、振動あるいは衝撃を受けてもフック部のつけ根が折損しないようにフック部を肉厚にして剛性が高められている。フック部41c 及び41dはＪ字形に形成されており、Ｊの書き出し部でコントローラ２を保持し、Ｊの書き終わり部で保持部材本体部43と結合されている。保持部材４は挿通孔42a 及び42b にねじを通してガスメータ１に固定される。
【００１２】
保持部材本体部43の片側に設けられているＪ字形のフック部41c 及び41d は、変形できる部分が長いというその形状から、広い可動範囲を有し、その結果として、保持部材４へのコントローラ２のはめ込みが容易となる。
【００１３】
この保持部材４にコントローラ２をはめ込んだ後で、Ｊ字形のフック部41c 及び41d のコントローラ２を保持している部分の背面に、フック部41c 及び41d の動きを抑制するストッパ5a及び5bを挿入している。
このストッパ5a及び5bの挿入によって、コントローラ２から受ける力の大部分はストッパ5a及び5bを介して保持部材本体部43に直接かかるようになり、振動あるいは衝撃を受けた場合に、フック部41c 及び41dの保持部材本体部43との結合部近傍に大きな応力を発生することがなくなる。また、ストッパ5a及び5bがそれぞれフック部41c 及び41d を背面から支えるので、コントローラ２の保持状態がより確実となる。
【００１４】
図１では、フック部41c 及び41d のみをＪ字形に形成しているが、全部のフック部41a, 41b, 41c 及び41d をＪ字形に形成しても同様に有効である。
【００１５】
【発明の効果】
この発明によれば、保持部材のフック部のうち、少なくとも一方の側面のフック部がＪ字形に形成され、Ｊの書き出し部でコントローラを保持し、Ｊの書き終わり部で保持部材本体部と結合されているので、フック部の変形可動範囲が広くなり、同時にフック部のつけ根の部分への応力が低減され、フック部の折損の可能性が大幅に低減し、同時に、保持部材へのコントローラのはめ込みが容易となり、製造工程におけるコストの増大が不要となる。
【００１６】
更に、Ｊ字形のフック部のコントローラを保持している部分の背面に、Ｊ字形のフック部の変形を抑制するためのストッパを挿入しているので、Ｊ字形のフック部は機械的に補強され、同時に、よりしっかりとコントローラを保持する。したがって、フック部の折損の可能性が更に大幅に低減し、同時に、コントローラの保持状態が更に安定する。
【図面の簡単な説明】
【図１】この発明によるガスメータのマイコンメータコントローラ保持部材の実施例の構造を示し、（ａ）は前面斜視図、（ｂ）は後面斜視図、（ｃ）は断面図である。
【図２】ガスメータの部分断面斜視図
【図３】従来のガスメータのマイコンメータコントローラ保持部材の構造を示し、（ａ）は前面斜視図、（ｂ）は後面斜視図、（ｃ）は断面図
【符号の説明】
１ ガスメータ
２ コントローラ
３, ４ 保持部材
31a, 31b, 31c, 31d フック部
41a, 41b, 41c, 41d フック部
32a, 32b, 42a, 42b 挿通孔
33, 43 保持部材本体部
5a, 5b ストッパ
【図１】
0003677923.tif 000002
【図２】
0003677923.tif 000003
【図３】
0003677923.tif 000004